(57)【特許請求の範囲】
【請求項１】
画像を表示する表示パネルと、
前記表示パネルの少なくとも背面を覆う筐体部材と、
前記筐体部材よりも強度の高い材質からなり、前記筐体部材の背面に貼りつけられ、前記筐体部材に貼り付けられている面の逆側の面が筐体上に露出した平板状の補強部材とを有し、
前記補強部材は、前記筐体部材から剥がすことができるように貼りつけられている、表示装置。
【請求項２】
前記筐体部材は、縁部に曲面を有する、請求項１記載の表示装置。
【請求項３】
前記筐体部材は、前記補強部材が貼りつけられる部分に、前記補強部材に応じた形状の凹部を有する、請求項１または２に記載の表示装置。
【請求項４】
前記筐体部材は、前記凹部に穴体を有する、請求項３記載の表示装置。
【請求項５】
前記筐体部材は、前記凹部に溝を有する、請求項３または４に記載の表示装置。
【請求項６】
前記補強部材は、前記筐体部材に貼りつけられる面が塗装された透明な平板である、請求項１から５のいずれか１項に記載の表示装置。
【請求項７】
前記補強部材はアクリル板である、請求項１から６のいずれか１項に記載の表示装置。
【請求項８】
前記補強部材は方形である、請求項１から７のいずれか１項に記載の表示装置。
【請求項９】
前記表示パネルは液晶パネルである、請求項１から８のいずれか１項に記載の表示装置。
【請求項１０】
前記筐体部材と前記表示パネルの間に内部補強部材を有する、請求項１から９のいずれか１項に記載の表示装置。
【請求項１１】
前記筐体部材と前記表示パネルの間にシールド板を有する、請求項１から１０のいずれか１項に記載の表示装置。
【請求項１２】
少なくとも上面に操作部が設けられた本体と、
画像を表示する表示パネルの少なくとも背面が筐体部材で覆われ、該筐体部材よりも強度の高い材質からなる平板状の補強部材が前記筐体部材の背面に貼りつけられ、該補強部材の該筐体部材に貼り付けられている面の逆側の面が筐体上に露出しており、前記本体部の上面に対して開閉可能な表示装置を有
し、
前記補強部材は、前記筐体部材から剥がすことができるように貼りつけられている、ノート型パーソナルコンピュータ。
【請求項１３】
前記筐体部材は、縁部に曲面を有する、請求項１２記載のノート型パーソナルコンピュータ。
【請求項１４】
前記筐体部材は、前記補強部材が貼りつけられる部分に、前記補強部材に応じた形状の凹部を有する、請求項１２または１３に記載のノート型パーソナルコンピュータ。
【請求項１５】
前記筐体部材は、前記凹部に穴体を有する、請求項１４記載のノート型パーソナルコンピュータ。
【請求項１６】
前記筐体部材は、前記凹部に溝を有する、請求項１４または１５に記載のノート型パーソナルコンピュータ。
【請求項１７】
前記補強部材は、前記筐体部材に貼りつけられる面が塗装された透明な平板である、請求項１２から１６のいずれか１項に記載のノート型パーソナルコンピュータ。
【請求項１８】
前記補強部材はアクリル板である、請求項１２から１７のいずれか１項に記載のノート型パーソナルコンピュータ。
【請求項１９】
前記補強部材は方形である、請求項１２から１８のいずれか１項に記載のノート型パーソナルコンピュータ。
【請求項２０】
前記表示パネルは液晶パネルである、請求項１２から１９のいずれか１項に記載のノート型パーソナルコンピュータ。
【請求項２１】
前記筐体部材と前記表示パネルの間に内部補強部材を有する、請求項１２から２０のいずれか１項に記載のノート型パーソナルコンピュータ。
【請求項２２】
前記筐体部材と前記表示パネルの間にシールド板を有する、請求項１２から２１のいずれか１項に記載のノート型パーソナルコンピュータ。
【発明の詳細な説明】
【０００１】
【発明の属する技術分野】
本発明は、ノート型パーソナルコンピュータ及びそれに使用される液晶ディスプレイ等の表示装置に関し、特に、ノート型パーソナルコンピュータ及び表示装置の構造に関する。
【０００２】
【従来の技術】
ノート型パーソナルコンピュータでは軽量化、小型化が重要な課題である。そのため、プラスティックで成形された筐体部材の厚さはできる限り薄くされ、また筐体内部の部品等と筐体部材とは接近している。また、液晶ディスプレイ部の筐体部材は平板状であるため外圧によりたわみやすく、たわみにより内部にある液晶パネルを傷める可能性がある。
【０００３】
また、ノート型パーソナルコンピュータの液晶ディスプレイは、ＣＰＵを内蔵しキーボードが設けられた本体と、開閉可能に接続されている。液晶ディスプレイを開閉する際、使用者は片手で開閉する場合もあり、また両手で開閉する場合もある。そのため、液晶ディスプレイに無理な力がかかることは避けられない。そのため、液晶ディスプレイは不均一な力によるたわみ防止策が施されている。
【０００４】
また、近年、液晶ディスプレイが大型化しているため、たわみによる液晶パネルへの影響は以前より大きくなっている。そのため、たわみ防止策の重要性は更に高まっている。
【０００５】
従来のノート型パーソナルコンピュータの液晶ディスプレイには、たわみ防止策として、通常のプラスティックよりも強度の高いポリカーボネートで筐体の部材を成形したものがある。筐体部材そのものを強度の高いポリカーボネート等にすることにより、外圧によるたわみを防止している。
【０００６】
また、従来のノート型パーソナルコンピュータの液晶ディスプレイには、たわみ防止策として、内部に金属の補強板が設けられたものがある。
【０００７】
また、従来のノート型パーソナルコンピュータの液晶ディスプレイには、たわみ防止策として、背面や正面の部材にリブが設けられたものがある。
【０００８】
【発明が解決しようとする課題】
ポリカーボネートは、通常のプラスティックに比べて強度が高いが、成形時に型に流れにくいという性質を持っている。そのため、ポリカーボネート成形品にはしわのようなウェルドラインが生じやすい。そして、ウェルドラインは添加成分、特に色によっては非常に目立つ場合がある。また、筐体部材の平面部の中央付近に、樹脂を型に射出するためのゲートを設ける必要がある。また、ゲートには色むらやヒケが生じやすい。そのため、従来の液晶ディスプレイの背面に、メーカー名や機種名を示す貼付部材を貼って色むらやヒケ等を隠す必要があった。
【０００９】
また、金属の補強部材は重いので、通常、液晶ディスプレイ全体ではなく周辺のみに設けられる。そのため、金属の補強部材は、大型化したノート型パーソナルコンピュータの液晶ディスプレイを十分に補強できない。
【００１０】
また、筐体部材にリブを設けると、表面にヒケ、ウェルドライン等がでやすいという問題がある。
【００１１】
本発明の目的は、強度が高く、美観に優れた液晶ディスプレイ等の薄型の表示装置を提供することである。
【００１２】
【課題を解決するための手段】
上記目的を達成するために、本発明の表示装置は、画像を表示する表示パネルと、
前記表示パネルの少なくとも背面を覆う筐体部材と、
前記筐体部材よりも強度の高い材質からなり、前記筐体部材の背面に貼りつけられ、前記筐体部材に貼り付けられている面の逆側の面が筐体上に露出した平板状の補強部材とを有し、
前記補強部材は、前記筐体部材から剥がすことができるように貼りつけられている。
【００１３】
したがって、筐体部材の背面に強度の高い材質の補強部材が貼付されているので、成形性の良くない材料を用いなくても、十分な強度を実現することが可能である。
【００１５】
したがって、筐体部材の背面に、筐体部材とは別個の補強部材が剥がせるように貼付されているので、万一、背面を傷つけてしまった場合に筐体部材を交換せず、補強部材を貼りかえるだけで補修が可能である。
【００１６】
本発明の一態様によれば、前記筐体部材は、縁部に曲面を有する。
【００１７】
したがって、筐体部材の縁部が曲面のため、補強部材の貼りつけられていない部分の強度が保たれ、表示装置全体の十分な強度を実現することができる。
【００１８】
本発明の一態様によれば、前記筐体部材は、前記補強部材が貼りつけられる部分に、前記補強部材に応じた形状の凹部を有している。
【００１９】
したがって、筐体部材の凹部に補強部材に貼付されて、筐体部材と補強部材が一体化するので、補強部材が筐体部材から剥がれにくい。
【００２０】
本発明の一態様によれば、前記筐体部材は、前記凹部に穴体を有している。
【００２１】
したがって、筐体部材に穴体が設けられているので、筐体部材に補強部材を貼付する際に、空気が良好に抜ける。
【００２２】
また、穴体から補強部材を押すことにより、補強部材を筐体部材から容易に剥がすことができる。
【００２３】
本発明の一態様によれば、前記筐体部材は、前記凹部に溝を有している。
【００２４】
したがって、筐体部材に溝が設けられているので、筐体部材に補強部材を貼付する際に、空気が良好に逃げる。
【００２５】
本発明の一態様によれば、前記補強部材は、前記筐体部材に貼りつけられる面が塗装された透明な平板である。
【００２６】
本発明の一態様によれば、前記補強部材はアクリル板である。
【００２７】
本発明の一態様によれば、前記補強部材は方形である。
【００２８】
本発明の一態様によれば、前記表示パネルは液晶パネルである。
【００２９】
本発明の一態様によれば、前記筐体部材と前記表示パネルの間に内部補強部材を有している。
【００３０】
本発明の一態様によれば、前記筐体部材と前記表示パネルの間にシールド板を有している。
【００３１】
本発明のノート型パーソナルコンピュータは、少なくとも上面に操作部が設けられた本体と、
画像を表示する表示パネルの少なくとも背面が筐体部材で覆われ、該筐体部材よりも強度の高い材質からなる平板状の補強部材が前記筐体部材の背面に貼りつけられ、該補強部材の該筐体部材に貼り付けられている面の逆側の面が筐体上に露出しており、前記本体部の上面に対して開閉可能な表示装置を有し、
前記補強部材は、前記筐体部材から剥がすことができるように貼りつけられている。
【００３３】
本発明のノート型パーソナルコンピュータにおける一態様によれば、前記筐体部材は縁部に曲面を有している。
【００３４】
本発明のノート型パーソナルコンピュータにおける一態様によれば、前記筐体部材は、前記補強部材が貼りつけられる部分に、前記補強部材に応じた形状の凹部を有している。
【００３５】
本発明のノート型パーソナルコンピュータにおける一態様によれば、前記筐体部材は、前記凹部に穴体を有している。
【００３６】
本発明のノート型パーソナルコンピュータにおける一態様によれば、前記筐体部材は、前記凹部に溝を有している。
【００３７】
本発明のノート型パーソナルコンピュータにおける一態様によれば、前記補強部材は、前記筐体部材に貼りつけられる面が塗装された透明な平板である。
【００３８】
本発明のノート型パーソナルコンピュータにおける一態様によれば、前記補強部材はアクリル板である。
【００３９】
本発明のノート型パーソナルコンピュータにおける一態様によれば、前記補強部材は方形である。
【００４０】
本発明のノート型パーソナルコンピュータにおける一態様によれば、前記表示パネルは液晶パネルである。
【００４１】
本発明の実施態様によれば、前記筐体部材と前記表示パネルの間に内部補強部材を有している。
【００４２】
本発明の実施態様によれば、前記筐体部材と前記表示パネルの間にシールド板を有している。
【００４３】
【発明の実施の形態】
本発明の一実施形態について図面を参照して詳細に説明する。
【００４４】
図１は、本実施形態の液晶ディスプレイ１を背面から見た斜視図である。
【００４５】
図１を参照すると、本実施形態の液晶ディスプレイ１は、背面部材１１と正面部材１２とで液晶パネル（不図示）を挟み込み、背面部材１１の背面に補強部材１３が貼り付けられた構成である。
【００４６】
背面部材１１及び正面部材１２は、成形性の良い同じ材質のプラスティックで成形されている。
【００４７】
補強部材１３は、背面部材１１及び正面部材よ１２より強度の高い材質の平板であり、両面テープや接着材等で背面部材１１の背面の貼り付けられている。補強部材１３は単なる平板から切り出したものであるため、強度の高い材質であったとしても、その製造は容易である。
【００４８】
本実施形態では、補強部材１３は、一例として、強度が高く、表面が滑らかな透明アクリル板である。アクリル板の裏面には塗装が施されており、正面から見たときの美観を増している。アクリル板によれば、軽量で十分な強度を得ることができる。
【００４９】
図２は、本実施形態の背面部材１１を背面から見た斜視図である。図３は、本実施形態の背面部材１１の断面図である。図４は、本実施形態の背面部材１１の背面図である。
【００５０】
図２及び図３を参照すると、背面部材１１は縁部２１が曲面となっており、背面に凹部２２がある。
【００５１】
凹部２２の寸法は補強部材１３の寸法とほぼ同じとしてある。補強部材１３は背面部材１１の凹部２２内に貼りつけられる。
【００５２】
背面部材１１の縁部２１は曲面であるため、外圧に対する強度が高い。それに対して、平面の部分は、背面部材１１だけでは外圧に対する強度が低い。その強度の低い部分は補強部材１３により強度が高められている。
【００５３】
図２及び図４を参照すると、背面部材１１の凹部２２には穴２３が開いており、また溝２４がある。
【００５４】
穴２３は、補強部材１３を背面部材１１に貼るときの空気抜きの役割を果たすと共に、補強部材１３を背面部材１１から剥がすときにも利用される。背面部材１１の正面から穴２３に棒状の工具を差し込んで補強部材１３を押すことで、補強部材１３を背面部材１１から容易に剥がすことができる。
【００５５】
溝２４は、補強部材１３を背面部材１１に貼るときに、空気を逃がす役割を果たす。溝２２により空気を逃がすことにより、背面部材１１と補強部材１３とを容易に密着させることができる。
【００５６】
図５は、本実施形態において補強部材１３を背面部材１１に貼り付ける方法について説明するための図である。
【００５７】
図５を参照すると、本実施形態の補強部材１３の貼り付け方法としては、予め、補強部材１３に両面テープを貼付しておく。次に、両面テープを貼付した補強部材１３の１辺を背面部材１１の凹部２２の対応する辺に合わせて接触させる。次に、接触させた辺を軸にして補強部材１３を背面部材１１の方向（図５中の矢印の方向）に回転させて、密着させる。更に、補強部材１３を背面部材１１に十分に押し付ける。
【００５８】
その際、背面部材１１と補強部材１３の間の空気は溝２４を通って逃げ、また穴２３を通って抜ける。
【００５９】
なお、補強部材１３による補強の効果をより発揮するためには、少なくとも補強部材１３はその縁のほぼ全体にて背面部材１１に接着されていることが望ましい。
【００６０】
本実施形態の液晶ディスプレイ１は、成形が容易なプラスティックにより成形された背面部材１１に強度の高い材質の補強部材１３が貼付されているので、ポリカーボネート等の成形性の良くない材料を用いなくても、十分な強度を実現することが可能である。したがって、ウェルドラインや色むらやヒケが無く、かつ十分な強度を有する液晶ディスプレイを容易に構成することができる。
【００６１】
また、液晶ディスプレイ１の背面に、背面部材１１とは別個に加工した補強部材１３を貼付することにより、表面が滑らかで美観の高い液晶ディスプレイを容易に構成することができる。
【００６２】
また、液晶ディスプレイ１の背面に、背面部材１１とは別個の補強部材１３を貼付しているので、万一、液晶ディスプレイの背面を傷つけてしまった場合に背面部材１１全体を交換せず、補強部材１３を貼りかえるだけで補修が可能である。
【００６３】
また、背面部材１１に補強部材１３と同寸の凹部２２を設け、そこに補強部材１３を貼付しているので、背面部材１１と補強部材１３とが一体化し、美観に優れ、また補強部材１３が剥がれにくい。
【００６４】
また、背面部材１１に穴２３及び溝２３を設けられているので、背面部材１１に補強部材１３を貼付する際に、空気を良好に抜くことができる。
【００６５】
また、背面部材１１に穴が設けられているので、穴から補強部材１３を押すことにより、補強部材１３を背面部材１１から容易に剥がすことができ、補修の作業が容易である。
【００６６】
なお、本実施形態の液晶ディスプレイ１は、更に金属補強板やシールド板を液晶パネルと共に、背面部材１１と正面部材１２とで挟み込んだ構成としてもよい。
【００６７】
図６は、本実施形態の液晶ディスプレイ１に使用可能な金属補強板及びシールド板の一例を示す分解斜視図である。図６を参照すると、背面部材１１の内側にシールド板６１及び金属補強板６２，６３が設けられてる。
【００６８】
シールド板６１は、電磁波シールドのために設けられる薄い金属板であり、これは補強を目的とするものではない。
【００６９】
金属補強板６２，６３は、液晶ディスプレイ１の補強のために設けられるが、液晶パネル全面に設けると重過ぎるため、通常、背面部材１１の縁部２１を補強するような形状とされる。図６の例では、両側の縁部２１及び４角の周辺を補強する形状である。
【００７０】
なお、図６では、２つの金属補強部材６２，６３を設ける構成を例示したが、金属補強板は１つであってもよい。
【００７１】
図７は、１つの板金部材からなる金属補強板７１の一例の形状を示す斜視図である。図７を参照すると、金属補強板７１は液晶ディスプレイ１の３辺及び４角の周辺を補強する形状である。
【００７２】
なお、本実施形態としては、補強部材１３が方形であるが場合を例示したが、十分な強度を実現でき限り、その他の形状であってもよい。即ち、補強部材１３は、美観を高めたデザイン性のある形状であってもよい。
【００７３】
【発明の効果】
本発明によれば、筐体部材の背面に強度の高い材質の補強部材が貼付されているので、成形性の良くない材料を用いなくても、十分な強度を実現することが可能であり、ウェルドラインや色むらやヒケが無く、かつ十分な強度を有する液晶ディスプレイを容易に構成することができる。
【００７４】
また、筐体部材の背面に、筐体部材とは別個の補強部材が貼付されているので、万一、背面を傷つけてしまった場合に筐体部材を交換せず、補強部材を貼りかえるだけで補修が可能である。
【００７５】
また、筐体部材の縁部が曲面のため、補強部材の貼りつけられていない部分の強度が保たれ、表示装置全体の十分な強度を実現することができる。
【００７６】
また、筐体部材に穴体が設けられているので、筐体部材に補強部材を貼付する際に、空気が良好に抜ける。また、穴体から補強部材を押すことにより、補強部材を筐体部材から容易に剥がすことができ、補修の作業が容易である。
【００７７】
また、筐体部材に溝が設けられているので、筐体部材に補強部材を貼付する際に、空気が良好に逃げる。
【図面の簡単な説明】
【図１】本実施形態の液晶ディスプレイ１を背面から見た斜視図である。
【図２】本実施形態の背面部材を背面から見た斜視図である。
【図３】本実施形態の背面部材の断面図である。
【図４】本実施形態の背面部材の背面図である。
【図５】本実施形態において補強部材１３を背面部材１１に貼り付ける方法について説明するための図である。
【図６】本実施形態の液晶ディスプレイ１に使用可能な金属補強板及びシールド板の一例を示す分解斜視図である。
【図７】１つの板金部材からなる金属補強板７１の一例の形状を示す斜視図である。
【符号の説明】
１    液晶ディスプレイ
１１    背面部材
１２    正面部材
１３    補強部材
２１    縁部
２２    凹部
２３    穴
２４    溝
６１    シールド板
６２，６３，７１    金属補強板
【図１】
0003683192.tif 000002
【図２】
0003683192.tif 000003
【図３】
0003683192.tif 000004
【図４】
0003683192.tif 000005
【図５】
0003683192.tif 000006
【図６】
0003683192.tif 000007
【図７】
0003683192.tif 000008